(57)【特許請求の範囲】
【請求項１】
取付パネルの取付穴に外側から押し込まれた電気機器を固定するための電気機器取付用アダプタであって、
前記取付パネルの内側から前記電気機器に嵌入されるとともに、前記電気機器に係止する枠体と、
前記枠体の相対向する側表面の各々において、一端が前記枠体の嵌入方向に突出して前記取付パネルに当接する突部を有し、他端が前記枠体の嵌入方向に貫通するネジ孔を有し、前記一端と前記他端との間の中心部が前記側表面に回動自在に取り付けられた押圧片と、
前記押圧片の前記ネジ孔の各々に螺合して締め付けられることによって先端が前記取付パネルに当接するとともに、前記押圧片の他端を前記取付パネルとは反対側へ回動させるネジと、
を備えた電気機器取付用アダプタ。
【請求項２】
前記枠体の相対向する側表面の各々において、前記押圧片の前記取付パネルの反対側であって、前記ネジ孔と連通する前記嵌入方向の貫通孔を有する保持部をさらに備え、
前記ネジは前記保持部の貫通孔を通って前記押圧片の前記ネジ孔に螺合し、先端が前記取付パネルに当接すると同時に、前記押圧片の他端が前記取付パネルとは反対側へ回動して当該ネジの頭部と前記押圧片とで前記保持部を挟む請求項１記載の電気機器取付用アダプタ。
【請求項３】
前記ネジが締め付けられることによって前記ネジの先端が前記取付パネルに当接した状態で、前記押圧片の回動中心点から前記突部の先端までの距離と当該回動中心点から前記ネジの先端までの距離とが等しい請求項１又は２に記載の電気機器取付用アダプタ。
【発明の詳細な説明】
【０００１】
【発明が属する技術分野】
本発明は、タイマ、カウンタ、温度調節器等の電気機器を取付パネルに固定するための電気機器取付用アダプタに関する。
【０００２】
【従来の技術】
従来の電気機器取付用アダプタとして、例えば実公平７−２９６６５号公報がある。図５はこの公報に開示の電気機器取付用アダプタを示す側面図であり、図６は下面図である。枠体１は、電気機器本体２が嵌合する矩形の枠型であって、相対向する枠片の中央に弾性片３，３を突設するとともに、各弾性片３，３に、電気機器本体２に形成した係合溝４に係合する爪部５，５を相対向するように設けたものである。そして、枠体１には、相対向する角部に取付強度調整ネジ６，６が螺合するネジ孔７，７と、先端に突部８，８とを備えた弾性レバー９，９が設けられている。
【０００３】
電気機器取付用アダプタを用いて電気機器本体２を取付パネル１０に取り付けるには、まず、電気機器本体２を取付パネル１０に設けた取付穴１１に外側（図５中、上側）から操作部１ｂの外周端の鍔部が取付穴１１の縁に当接するまで押し込んだ後、取付パネル１０の内側（図５中、下側）から枠体１を電気機器本体２に挿入して取付パネル１０との隙間が少なくなるように押し付ける。このとき、枠体１の弾性片３，３の爪部５，５が電気機器本体２の係合溝４に係止するとともに、弾性レバー９，９の突部８，８が取付パネル１０を押圧するため、電気機器本体２は取付パネル１０に取り付けられる。そして、取付強度調整ネジ６を適宜に締め付けて取付パネル１０に螺着させると、電気機器本体２の操作部１ｂの鍔部と弾性レバー９，９の突部８，８とで取付パネル１０を挟圧することによって、電気機器本体２は取り付けられる。なお、取付強度調整ネジ６，６の締め付け具合を変えることで、取付強度を調整できるようになっている。
【０００４】
以上のように、操作部１ｂの鍔部と、弾性レバー９，９の突部８，８の先端及び取付強度調整ネジ６，６の先端との間に取付パネル１０が挟まれることによって、電気機器本体２は取付パネル１０に取り付けられる。
【０００５】
【発明が解決しようとする課題】
しかしながら、取付強度調整ネジ６の締め付け具合によって、例えば、取付強度調整ネジ６，６から取付パネル１０への圧力と比べて、弾性レバー９，９の突部８，８から取付パネル１０への圧力が弱くなり、電気機器本体２はガタ付くという問題点があった。
【０００６】
本発明は上記の問題点を解決するためになされたものであり、電気機器を取付パネルによりガタ付きを抑えて取り付けることができる電気機器取付用アダプタを得ることを目的とする。
【０００７】
【課題を解決するための手段】
請求項１に記載の課題解決手段は、取付パネルの取付穴に外側から押し込まれた電気機器を固定するための電気機器取付用アダプタであって、前記取付パネルの内側から前記電気機器に嵌入されるとともに、前記電気機器に係止する枠体と、前記枠体の相対向する側表面の各々において、一端が前記枠体の嵌入方向に突出して前記取付パネルに当接する突部を有し、他端が前記枠体の嵌入方向に貫通するネジ孔を有し、前記一端と前記他端との間の中心部が前記側表面に回動自在に取り付けられた押圧片と、前記押圧片の前記ネジ孔の各々に螺合して締め付けられることによって先端が前記取付パネルに当接するとともに、前記押圧片の他端を前記取付パネルとは反対側へ回動させるネジとを備える。
【０００８】
請求項２に記載の課題解決手段は、前記枠体の相対向する側表面の各々において、前記押圧片の前記取付パネルの反対側であって、前記ネジ孔と連通する前記嵌入方向の貫通孔を有する保持部をさらに備え、前記ネジは前記保持部の貫通孔を通って前記押圧片の前記ネジ孔に螺合し、先端が前記取付パネルに当接すると同時に、前記押圧片の他端が前記取付パネルとは反対側へ回動して当該ネジの頭部と前記押圧片とで前記保持部を挟む。
【０００９】
請求項３に記載の課題解決手段は、前記ネジが締め付けられることによって前記ネジの先端が前記取付パネルに当接した状態で、前記押圧片の回動中心点から前記突部の先端までの距離と当該回動中心点から前記ネジの先端までの距離とが等しい。
【００１０】
【発明の実施の形態】
図１〜３は本発明の実施の形態の電気機器取付用アダプタを示す側面図であり、図４は下面図である。図１〜図４の符号は互いに対応している。枠体Ａ１は、電気機器本体２が嵌合する矩形の枠型である。電気機器本体２は例えばタイマ、カウンタあるいは温度調節器等である。
【００１１】
枠体Ａ１は、弾性片Ａ３，Ａ３を含み、弾性片Ａ３，Ａ３の各々は爪部Ａ５を含む。弾性片Ａ３，Ａ３は、枠体Ａ１の表面のうち相対向する側表面の各々の中央から突設している。爪部Ａ５，Ａ５は、電気機器本体２の表面に設けられた係合溝４，４に係合する。
【００１２】
上記の相対向する側表面の各々の弾性片Ａ３の上部には、細長い押圧片Ａ９の中心部Ｃが取り付けられている。中心部Ｃとは押圧片Ａ９の両端の間の部分を意味する。押圧片Ａ９は、この中心部Ｃ内の回動中心点Ｃ１を中心として自在に回動できる。この回動を実現するには例えば、枠体Ａ１側に設けられた回転軸が押圧片Ａ９，Ａ９の中心部Ｃ，Ｃに設けられた貫通穴に挿入される構造にすればよい。
【００１３】
また、押圧片Ａ９，Ａ９の各々の一端には、枠体Ａ１の嵌入方向Ｘに突出して板状の取付パネル１０に当接する突部Ａ８が設けられ、他端には嵌入方向Ｘに貫通するネジ孔Ａ７が設けられている。突部Ａ８，Ａ８が設けられることによって押圧片Ａ９，Ａ９はＬ字型を含む形状になる。
【００１４】
また、上記の相対向する側表面の各々の角部の下側（押圧片Ａ９，Ａ９の取付パネル１０の反対側）には、貫通孔Ａ１１を有する保持部Ａ１０が設けられている。貫通孔Ａ１１，Ａ１１の各々は、押圧片Ａ９が保持部Ａ１０に当接した状態で、押圧片Ａ９のネジ孔Ａ７と連通する。
【００１５】
ネジ孔Ａ７，Ａ７には取付用ネジＡ６，Ａ６が螺合するが、貫通孔Ａ１１，Ａ１１は取付用ネジＡ６，Ａ６が螺合しない穴である。図３を参照して、取付用ネジＡ６，Ａ６の各々は、保持部Ａ１０の貫通孔Ａ１１を通って押圧片Ａ９のネジ孔Ａ７に螺合し、同ネジＡ６のネジ部の先端が取付パネル１０に当接すると同時に、押圧片Ａ９とで保持部Ａ１０を挟む。
【００１６】
電気機器取付用アダプタを用いて電気機器本体２を取付パネル１０に取り付ける方法説明する。まず、図１を参照して、電気機器本体２を取付パネル１０に設けた取付穴１１に外側（図１中、上側）から操作部１ｂの外周端の鍔部が取付穴１１の縁に当接するまで押し込んだ後、取付パネル１０の内側（図１中、下側）から枠体Ａ１を電気機器本体２に挿入して取付パネル１０との隙間が少なくなるように押し付ける。このとき、枠体Ａ１の弾性片Ａ３，Ａ３の爪部Ａ５，Ａ５が電気機器本体２の係合溝４，４に係止する。以上のように、枠体Ａ１を電気機器本体２に嵌入する。
【００１７】
次に、図２を参照して、取付用ネジＡ６，Ａ６を締め付ける。これによって、ネジ孔Ａ７，Ａ７が貫通孔Ａ１１，Ａ１１に引き寄せられ、押圧片Ａ９，Ａ９は時計回りに回動する。
【００１８】
さらに、取付用ネジＡ６，Ａ６を締め付けると、押圧片Ａ９，Ａ９の突部Ａ８，Ａ８の先端及び取付用ネジＡ６，Ａ６の先端からなる合計４つの先端は取付パネル１０に当接して操作部１ｂの鍔部とで取付パネル１０を挟む。これと同時に、取付用ネジＡ６，Ａ６の頭部は押圧片Ａ９，Ａ９とで保持部Ａ１０を挟む。
【００１９】
以上のように、上記４つの先端と操作部１ｂの鍔部とで取付パネル１０を挟むので、安定して電気機器本体２を取付パネル１０に固定できる。
【００２０】
しかも、枠体Ａ１から取付パネル１０への圧力は、押圧片Ａ９の中心部Ｃから突部Ａ８の先端と取付用ネジＡ６の先端とにほぼ均等に分散して加えられるので、従来と比較してガタ付きなく電気機器本体２を取付パネル１０に取り付けることができ、作業者が操作部１ｂを操作し易くなる。
【００２１】
なお、望ましくは図３に示すように、取付用ネジＡ６，Ａ６の先端が取付パネル１０に当接した状態で、押圧片Ａ９，Ａ９の回動中心点Ｃ１から突部Ａ８，Ａ８の先端までの距離Ｌ１と回動中心点Ｃ１から取付用ネジＡ６，Ａ６の先端までの距離Ｌ２とを等しくなるように、各部品の寸法を設計する。これによって、上記４つの先端から取付パネル１０への圧力はより等しくなる。
【００２２】
また、保持部Ａ１０は省略してもよい。しかし、取付穴１１において電気機器本体２と取付パネル１０との間に大きな隙間があると、電気機器本体２は中心部Ｃを中心にして回動し、ガタ付いてしまう。そこで、保持部Ａ１０，Ａ１０を設ける。取付用ネジＡ６，Ａ６の頭部は押圧片Ａ９，Ａ９とで保持部Ａ１０，Ａ１０を挟むので、電気機器本体２を保持する枠体Ａ１は押圧片Ａ９，Ａ９に対してガタ付きなく固定される。これと同時に、取付用ネジＡ６，Ａ６のネジ部の先端が取付パネル１０に当接して上記４つの先端と操作部１ｂの鍔部とが取付パネル１０を挟むので、押圧片Ａ９，Ａ９は取付パネル１０に対してガタ付きなく固定される。したがって、取付穴１１において、たとえ電気機器本体２と取付パネル１０との間に大きな隙間があったとしても、電気機器本体２を取付パネル１０にガタ付きを抑えて取り付けることができる。
【００２３】
さらに、本発明は図示するものに限らない。例えば、枠体Ａ１、電気機器本体２、取付穴１１は矩形以外の多角形でもよいし、角のない形（例えば、円形、楕円形）でもよい。
【００２４】
【発明の効果】
請求項１に記載の発明によれば、２つの押圧片の突部及び２つのネジの合計４点と電気機器の取付パネルの外側の部分とで取付パネルを挟むので、安定して電気機器を取付パネルに固定できる。しかも、枠体から取付パネルへの圧力は、押圧片の中心部から突部とネジとにほぼ均等に分散して加えることができるので、従来と比較してガタ付きを抑えて電気機器を取付パネルに取り付けることができる。
【００２５】
請求項２に記載の発明によれば、電気機器と取付パネルとの間に大きな隙間があったとしても、電気機器を取付パネルにガタ付きを抑えて取り付けることができる。
【００２６】
請求項３に記載の発明によれば、上記４点から取付パネルへの圧力はより等しくなる。
【図面の簡単な説明】
【図１】  本発明の実施の形態の電気機器取付用アダプタを示す側面図である。
【図２】  本発明の実施の形態の電気機器取付用アダプタを示す側面図である。
【図３】  本発明の実施の形態の電気機器取付用アダプタを示す側面図である。
【図４】  本発明の実施の形態の電気機器取付用アダプタを示す下面図である。
【図５】  従来の電気機器取付用アダプタを示す側面図である。
【図６】  従来の電気機器取付用アダプタを示す下面図である。
【符号の説明】
２  電気機器本体、１０  取付パネル、１１  取付穴、Ａ１  枠体、Ａ６  ネジ、Ａ７  ネジ孔、Ａ８  突部、Ａ９  押圧片、Ａ１０  保持部。
【図１】
0004353491.tif 000002
【図２】
0004353491.tif 000003
【図３】
0004353491.tif 000004
【図４】
0004353491.tif 000005
【図５】
0004353491.tif 000006
【図６】
0004353491.tif 000007